(57)【要約】【課題】  手書き情報をそのまま登録し、手書き情報を入力する毎にその手書き情報及びそれに類似、関連する手書き情報を手書き情報表示部に表示し、希望する手書き情報を容易に確定できる情報入力装置、及び、それを用いた携帯端末装置を提供する。【解決手段】  手書き情報入力部２と、手書き情報入力部２に記述された手書き情報を基に手書き情報記憶部２２から手書き情報入力部２に記述された手書き情報に類似、関連する手書き情報を引出す比較検索部４４と、手書き情報入力枠に記述された手書き情報、及び、前記比較検索手段によって検索された手書き情報をそれぞれ表示する手書き情報一時表示部４と、手書き情報一時表示部に表示された手書き情報から希望する手書き情報を選択し、確定する手書き情報確定部４１と、確定された手書き情報を手書き情報記憶部２２に記憶する確定手書き情報記憶制御部４７とを備える。これにより、希望する手書き情報を容易に確定できる情報入力装置、及び、それを用いた携帯端末装置を提供する。【選択図】  図２
2005209136.tif 000002
【特許請求の範囲】
【請求項１】
手書き情報を入力するための手書き情報入力枠と、前記手書き情報入力枠に記述された手書き情報を基に手書き情報記憶部に記憶された手書き情報から前記手書き情報入力枠に記述された手書き情報に類似、関連する手書き情報を引出す比較検索部と、前記手書き情報入力枠に記述された手書き情報、及び、前記比較検索手段によって検索された手書き情報をそれぞれ表示する手書き情報表示部と、前記手書き情報表示部に表示された手書き情報から希望する手書き情報を選択し、選択された手書き情報を確定する手書き情報確定部と、前記確定された手書き情報を前記手書き情報記憶部に記憶する確定手書き情報記憶制御部とを備えたことを特徴とする情報入力装置。
【請求項２】
前記手書き情報入力枠が複数設けられ、これらの手書き情報入力枠にそれぞれ予め定められた順序で手書き情報を記述することにより、その記述された手書き情報に類似、関連する手書き情報が前記比較検索手段によって前記手書き情報記憶部より引出され、引出された手書き情報が前記手書き情報表示部に表示され、表示された手書き情報の中から希望する手書き情報を選択することにより、選択された手書き情報が前記手書き情報確定部で確定され、前記手書き情報記憶部に記憶されることを特徴とする請求項１記載の情報入力装置。
【請求項３】
前記手書き情報記憶部が、手書き情報確定部によって確定された手書き情報を１単位として予め定めた一定量記憶する手書き情報一時記憶部を備えたことを特徴とする請求項１又は２記載の情報入力装置。
【請求項４】
比較検出部が、手書き情報入力枠にペンを接触させた時点から、予め定めた一定時間以上前記ペンを離間した時点までを１単位として手書き情報を認識し、前記手書き情報記憶部に記憶された手書き情報との比較検索を実行することを特徴とする請求項１〜３のいずれか１項記載の情報入力装置。
【請求項５】
前記手書き情報入力部で入力される手書き情報が、手書きの文字、単語、文節、文章、絵などの少なくとも１つを含むことを特徴とする請求項１〜４のいずれか１項記載の情報入力装置。
【請求項６】
請求項１〜５のいずれか１項記載の情報入力装置と、前記情報入力装置によって入力された手書き情報をデータとして送信すると共に、他の携帯端末装置より送信された手書き情報をデータとして受信する無線送受信部とを備えたことを特徴とする携帯端末装置。
【発明の詳細な説明】
【技術分野】
【０００１】
本発明は、タッチペンなどを用いて手書き文字等を入力する情報入力装置、及び、それを用いた携帯端末装置に関する。
【背景技術】
【０００２】
従来、携帯電話機やＰＤＡ、その他の携帯端末装置では、機能が多様化する中、小型化も進化しており、操作部が小型化されたり、表示部が小型化されたりして、操作がしづらくなっている。
【０００３】
一方、このような問題を解消するものとして、表示部にタッチパネル兼用の表示部を使用し、このタッチパネルを用いて文字、数字などを任意に入力できるように構成したものも知られている。
【０００４】
そして、近年では、文字、数字などを手書きで入力することも考えられており（例えば、特許文献１、２参照）、これらのものでは、手書き用入力枠にタッチペンを用いて文字、数字などを書き込むと、書き込まれた文字、数字に対応する複数の活字候補が辞書から呼出され、それらが表示部に表示される。したがって、これらの中から１つを選択してその１つを確定し、入力できるという効果を有する。
【特許文献１】特許第３４２２１５７号明細書（第２−３頁、図３）
【特許文献２】特開平６−３４８６８７号公報（第３−４頁、図１）
【発明の開示】
【発明が解決しようとする課題】
【０００５】
しかしながら、特許文献１、２に記載されたものは、いずれも、手書き文字を辞書に登録された活字と比較し、最終的に活字として入力するように構成したものであり、全体として、その構成が複雑であり、入力する文字、活字も１字づつ完全に手書きしないと正確な活字が呼出されないという問題を有する。
【０００６】
特許文献１の場合には、活字の１字、１字について、書き順や、一画の始点、終点、ストロークなどの情報を辞書に登録しておくことが必要であり、また、文字種や部首を選択して、手書きで文字や部首をそれぞれ書き込む必要があった。そして、文字の途中で不当なストロークがあれば、それを表示し、その時点から改めて、そのストロークを書き直すことが可能であるとはいうものの、最終的には、希望する文字を入力する場合、希望する文字の部首、文字などを最後まで書かないと、希望の活字が表示されず、入力することができないと言う問題を有する。
【０００７】
さらに、特許文献１の場合でも、部首や部分を書き込むだけで、その部首、部分を含む漢字の候補が一覧表示されるため、その中から１つを選択すれば、選択された漢字が確定し入力されるというものの、この場合も、希望する文字を入力する場合には、最終的には、希望する文字の部首、部分を最後まで書かないと、希望する活字が表示されず、入力できないと言う問題を有する。
【０００８】
そして、特許文献１，２に記載されたものでは、最終的に活字を入力し、それによって文章を作成するものであり、最終的に作成され、メールなどで送信される文章も、手書き文章でなく、ユーザの特徴、感情をそのまま表したものでないという問題があった。
【０００９】
本発明は、このような従来の問題に鑑みてなされたものであり、手書き情報をそのまま登録し、手書き情報を入力する毎にその手書き情報及びそれに類似、関連する手書き情報を手書き情報表示部に表示し、希望する手書き情報を容易に確定できる情報入力装置、及び、それを用いた携帯端末装置を提供するものである。
【課題を解決するための手段】
【００１０】
本発明の情報入力装置は、手書き情報を入力するための手書き情報入力枠と、前記手書き情報入力枠に記述された手書き情報を基に手書き情報記憶部に記憶された手書き情報から前記手書き情報入力枠に記述された手書き情報に類似、関連する手書き情報を引出す比較検索部と、前記手書き情報入力枠に記述された手書き情報、及び、前記比較検索手段によって検索された手書き情報をそれぞれ表示する手書き情報表示部と、前記手書き情報表示部に表示された手書き情報から希望する手書き情報を選択し、選択された手書き情報を確定する手書き情報確定部と、前記確定された手書き情報を前記手書き情報記憶部に記憶する確定手書き情報記憶制御部とを備えた構成を有する。
【００１１】
この構成により、手書き情報入力枠に手書き文字や手書き文章、その他の手書き情報を記述すると、記述した手書き情報に類似、関連する手書き情報が手書き情報記憶部より読み出され、読み出された手書き情報が先に記述した手書き情報と共に手書き情報表示部に表示されるため、それらの中から１つを選択することにより、選択された手書き情報を確定し、確定された手書き情報を手書き情報記憶部に記憶し、以降、それぞれ有効に利用することがきるという作用を有する。
【００１２】
また、本発明の情報入力装置は、手書き情報入力枠が複数設けられ、これらの手書き情報入力枠にそれぞれ予め定められた順序で手書き情報を記述することにより、その記述された手書き情報に類似、関連する手書き情報が前記比較検索手段によって前記手書き情報記憶部より引出され、引出された手書き情報が前記手書き情報表示部に表示され、表示された手書き情報の中から希望する手書き情報を選択することにより、選択された手書き情報が前記手書き情報確定部で確定され、前記手書き情報記憶部に記憶される構成を有する。
【００１３】
この構成により、手書き情報入力枠に手書き情報を１つ記述した場合は勿論のこと、複数の手書き情報入力枠を用いて複数の手書き情報の集合体を記述した場合でも、これらの集合体に類似、関連する手書き情報が手書き情報記憶部から読み出されるため、その中から希望の手書き情報を選択することにより、その希望の手書き情報を確定して手書き情報記憶部に記憶することができ、希望する手書き情報を容易に素早く得ることができるという作用を有する。
【００１４】
また、本発明の情報入力装置は、手書き情報記憶部が、手書き情報確定部によって確定された手書き情報を１単位として予め定めた一定量記憶する手書き情報一時記憶部を備えた構成を有する。
【００１５】
この構成により、手書き情報確定部によって確定された手書き情報がそれぞれ１単位として予め定めた一定量、手書き情報一時記憶部に記憶されるため、手書き情報入力部を用いて入力した手書き情報に類似、関連する手書き情報が、この手書き情報一時記憶部に記憶された一定量の手書き情報の中から引出されることになり、その引出しを速くすることができるという作用を有する。そして、手書き情報一時記憶部に記憶された手書き情報を一定量とするために、予め定めた条件下（例えば、古い手書き情報の順や、使用頻度の小さい手書き情報の順、或いは、古くてかつ使用頻度の小さい手書き情報の順などの条件下）で一定量になるように順に削除し、それ以外手書き情報をそのまま残しておくように構成すれば、これらの残された手書き情報を基に検索が行われることになり、より妥当な希望にあった検索結果が得られるという作用を有する。
【００１６】
また、本発明の情報入力装置は、比較検出部が、手書き情報入力枠にペンを接触させた時点から、予め定めた一定時間以上前記ペンを離間した時点までを１単位として手書き情報を認識し、手書き情報記憶部に記憶された手書き情報との比較検索を実行する構成を有する。
【００１７】
この構成により、手書き情報が１つの手書き情報や、一まとまり手書き情報として完成していると否とに関わらず、予め定めた一定時間以上ペンを離間した場合、その時点までで手書き情報を認識し、比較検索が行われるため、１つの手書き情報、一まとまりの手書き情報の途中であっても、それに類似、関連する手書き情報が読み出されることになり、途中で希望の手書き情報を選択、確定することも可能である。
【００１８】
また、本発明の情報入力装置は、手書き情報入力部で入力される手書き情報が、手書きの文字、単語、文節、文章、絵などの少なくとも１つを含む構成を有する。
【００１９】
この構成により、手書き情報入力部を用いて、ここに、文字、単語、文節、文章、絵などの少なくとも１つを手書きで描くことにより、その文字、単語、文節、文章、絵などの少なくとも１つに類似、関連する文字、単語、文節、文章、絵などの少なくとも１つが比較検索され、読み出されることになり、希望する文字、単語、文節、文章、絵などの少なくとも１つ容易に記憶、使用することができるようになる。
【００２０】
また、本発明の携帯端末装置は、先に説明した情報入力装置と、この情報入力装置によって入力された手書き情報をデータとして送信すると共に、他の携帯端末装置より送信された手書き情報をデータとして受信する無線送受信部とを備えた構成を有する。
【００２１】
この構成により、手書き情報をデータとして送受信でき、手書き情報を受信したユーザは、送信したユーザの筆跡から、誰からの手書き情報かほぼ認識することができ、また、筆跡には、その人の個性、感情、情緒が詰まっており、活字と違った温かさを得ることができると言う作用を有する。
【発明の効果】
【００２２】
本発明によれば、手書き情報をそのまま登録し、手書き情報を入力する毎にその手書き情報及びそれに類似、関連する手書き情報を手書き情報表示部に表示し、希望する手書き情報を容易に確定できる情報入力装置、及び、それを用いた携帯端末装置を提供することができる。
【発明を実施するための最良の形態】
【００２３】
以下、本発明の最良の実施の形態について説明する。
【００２４】
図１は、本発明の一実施の形態における情報入力装置を用いた携帯端末装置の正面図である。
【００２５】
本発明の一実施の形態における情報入力装置を用いた携帯端末装置は、図１に示すように、箱状に形成した筐体１の正面に比較的大きな表示部２を有している。表示部２は、タッチパネルとしての機能を有し、各モードによって、それぞれそのモードに応じた表示、入力が可能なように構成されている。
【００２６】
すなわち、手書き情報入力モードでは、図１に示すように、手書き情報を入力する手書き情報入力部３と、入力された手書き情報を一時表示する手書き情報一時表示部４と、確定された手書き情報を表示する確定手書き情報表示部５とに分かれるように構成されている。また、活字入力モードでは、図６に示すように、活字を表示した活字入力部分６１と、この活字入力部６１をタッチすることにより入力された活字を表示する確定活字表示部６２とに分かれるように構成されている。ここで、手書き情報は、手書きの文字、単語、文節、文章、絵などを含むものである。
【００２７】
そして、手書き情報入力モードにおいて表示される手書き情報入力部３は、複数の手書き情報入力枠３ａ、３ｂ、３ｃ、３ｄを有し、これらの手書き情報入力枠３ａ、３ｂ、３ｃ、３ｄに予め定めた順（すなわち、左の枠から右の枠へ順）にタッチペンなどを用いて手書き情報（例えば、文字、文節、文章、絵などの情報）を書くことにより、書かれた手書き情報がそれぞれその枠に予め定めた一定時間だけ表示され、入力されるように構成されている。また、手書き情報一時表示部４には、入力された手書き情報を表示するだけでなく、入力された手書き情報を基に手書き情報記憶部より読み出された類似、関連する手書き情報も併せて表示するように構成されている。そして、確定手書き情報表示部５には、手書き情報一時表示部４に表示された手書き情報の中から１つをタッチペンなどを用いて押圧操作し選択することにより、選択された手書き情報が確定され、表示されるように構成されている。
【００２８】
また、活字入力モードでは、活字入力部分６１にそれぞれの活字を表示し、その活字をタッチすることにより、タッチされた活字が活字辞書より読み出され、確定活字表示部６２に表示されるように構成されている。
【００２９】
そして、表示部２の下方には、電源オンオフや、発信及び着信応答、その他、各種機能を実行させるための各種機能キー６が設けられている。また、筐体１の両端部には、それぞれマイク、レシーバ用の音孔７、８が設けられ、更に筐体１の端部には、呼出表示用の表示部９が設けられている。
【００３０】
図２は、本発明の一実施の形態における情報入力装置を用いた携帯端末装置の概略ブロック図である。
【００３１】
本発明の一実施の形態における情報入力装置を用いた携帯端末装置は、図２に示すように、タッチパネル機能付きの表示部２のほかに、電話や電子メールを行うための無線送受信部２１、手書き情報記憶部２２、電子メール記憶部２３、音声入出力部２４、マイク２５、レシーバ２６、呼出音出力部２７、呼出音出力用のスピーカ２８、呼出表示用の発光ダイオード２９、振動子３０、各種機能キー６を有する操作部３１、及び、これらを制御する制御部３２を備えている。したがって、これらを用いて電話や電子メールを行うことが可能であり、電子メールで交換した内容は、手書き情報記憶部２２や電子メール記憶部２３にそれぞれ記憶することが可能である。
【００３２】
すなわち、本実施の形態における情報入力装置を用いた携帯端末装置では、後述するように、活字入力も可能であり、これによって電話番号、メールアドレスなどの情報を入力し、発信することにより電話発信や電子メールの送信を行うことができる。そして、相手から電話があった場合には、それを無線送受信部２１で受信し、スピーカ２８や発光ダイオード２９、振動子３０などで報知し、それに応答することにより、マイク２５、レシーバ２６を用いてその電話に対応することができ、電子メールがあった場合には、それを無線送受信部２１で受信し、手書き情報記憶部２２や電子メール記憶部２３に記憶することが可能である。
【００３３】
次に、本発明の一実施の形態における情報入力装置について、その構成を具体的に説明する。図３は、本発明の一実施の形態における情報入力装置の概略ブロック図である。
【００３４】
本実施の形態における情報入力装置は、手書き情報入力モードにおいて、図１に示すように、表示部２が３つの部分、すなわち、手書き情報入力部３、手書き情報一時表示部４、確定手書き情報表示部５の３つに分けられるように構成されている。
【００３５】
なお、ここで、手書き情報一時表示部４は、先に説明したように、手書き情報一時表示部４に表示された手書き情報の中から１つをタッチペンなどで選択操作することにより、選択操作された手書き情報を確定し、確定手書き情報表示部５に表示させる作用を有する部分であり、この部分は、同時に手書き情報を確定する手書き情報確定操作部４１を兼ねている。
【００３６】
そして、情報入力装置は、手書き情報入力モードにおいて各部を制御するために、図３に示すように、手書き情報入力部３に書かれた手書き情報を検出する手書き情報検出部４２と、手書き情報検出部４２で検出された手書き情報を、手書き情報一時記憶部４５に記憶された手書き情報と比較し、類似、関連する手書き情報を読み出す比較検索部４４と、これらの情報を基に、手書き情報検出部４２で検出された手書き情報、及び、比較検索部４４で比較検索された類似、関連する情報を手書き情報一時表示部４に表示する表示制御部４３と、手書き情報一時表示部４に表示された手書き情報から希望する手書き情報を選択し、確定操作したとき、確定操作した手書き情報を検出する確定手書き情報検出部４６と、確定手書き情報検出部４６で検出された確定手書き情報を表示する確定手書き情報表示部５と、確定手書き情報検出部４６で検出された確定手書き情報を記憶する手書き情報記憶部２２と、手書き情報記憶部２２を制御する手書き情報記憶制御部４７とを備えている。
【００３７】
なお、手書き情報記憶部２２は、手書き情報一時記憶部４５と、確定手書き情報記憶部４８とを有し、確定手書き情報記憶部４８は、確定手書き情報検出部４６で検出された確定手書き情報を互いに繋ぎ合わせて確定手書き文章などの情報として記憶するためのものであり、手書き情報一時記憶部４５は、確定手書き情報検出部４６で検出された確定手書き情報をそのままそれぞれ１単位として手書き情報検出部４２で検出された手書き情報と比較検索するために記憶するものである。また、図３においては、手書き情報確定操作部４１を別に表示しているが、これは前述した通り手書き情報一時表示部４の一部をなすものである。
【００３８】
次に、本実施の形態における情報入力装置について、その動作を詳細に説明する。図４は、本実施の形態における情報入力装置の動作を示すフローチャートである。
【００３９】
本実施の形態における情報入力装置おいて、各種機能キー６を操作し、手書き情報入力モードに設定すると、表示部２が３つの部分３、４、５に分けられ、所謂、手書き情報入力用の表示が表示部２に表示される（Ｓ４０１）。
【００４０】
手書き情報入力部３の最初の入力枠３ａから順にタッチペンなどを用いて手書き情報を書いて行くと（Ｓ４０２）、その手書き情報は、手書き情報検出部４２で検出される。手書き情報検出部４２で検出された手書き情報は、表示制御部４３に供給され、表示制御部４３の制御の基で、手書き文字入力部３に表示される（Ｓ４０３）と共に、比較検索部４４に供給される。
【００４１】
比較検索部４４では、手書き情報検出部４２で検出された手書き情報が、比較検索するのに充分な１単位の手書き情報になっているかどうか、すなわち、手書き情報入力部３より、予め定めた一定時間Ｔ１以上タッチペンなどを離間したかどうかを判断し（Ｓ４０４）、予め定めた一定時間Ｔ１以上タッチペンなどを離間し、１単位の手書き情報となっている場合（Ｓ４０４のＹ）には、手書き情報一時記憶部４５に記憶された手書き情報の中から１単位となっている手書き情報に類似、関連する手書き情報、すなわち、その１単位の手書き情報に類似する手書き情報、その１単位の手書き情報又は類似する手書き情報を含む関連する手書き情報を、比較検索部４４の制御の基で検索し（Ｓ４０５）、手書き情報一時記憶部４５より、それらの類似、関連する手書き情報を読み出す。
【００４２】
例えば、手書き情報入力部３にタッチペンなどを接触させて、「あきらしい」という手書き情報を書く場合でも、「あき」まで書いて、その段階で予め定めた一定時間Ｔ１以上タッチペンより離間した場合には、「あき」までの手書き情報が１単位となり、この１単位の手書き情報が、比較検索部４４において、手書き情報一時記憶部４５に記憶された手書き情報と比較され、この手書き情報に類似、関連する手書き情報が手書き情報一時記憶部４５より読み出される。すなわち、この例の場合には、「あき」までの手書き情報が１単位として認識されるため、この「あき」に類似、関連する、例えば、「あきらしい」、「あきらめ」などの手書き情報が情報一時記憶部４５に記憶されていたとき、それらが読み出される。そして、読み出された手書き情報は、表示制御部４３に供給される。
【００４３】
表示制御部４３は、比較検索部４４からの手書き情報を基に、手書き情報入力部３で入力した手書き情報と、手書き情報一時記憶部４５より読み出された類似、関連する手書き情報を共に手書き情報一時表示部４に表示する（Ｓ４０６）。すなわち、上の例では、図１に示すように、「あき」という手書き情報と、「あきらしい」、「あきらめ」という類似、関連する手書き情報が、共に表示部２の手書き情報一時表示部４に表示される。そして、手書き情報が、手書き情報一時表示部４に表示されると、その次に、手書き情報入力部２に表示された手書き情報が消去される（Ｓ４０７）。
【００４４】
手書き情報一時表示部４は、前述したように、手書き情報確定操作部４１を兼ねており、手書き情報一時表示部４に表示された手書き情報の中から希望する手書き情報をタッチペンなどでタッチすると、そのタッチした手書き情報が確定操作されたことになり、次の確定操作したかどうかの判断（Ｓ４０８）で確定操作されたことになる（Ｓ４０８のＹ）。
【００４５】
このようにして、希望する手書き情報が確定操作されると（Ｓ４０８のＹ）、希望する手書き情報が確定され（Ｓ４０９）、それが確定手書き情報検出部４６で検出される。そして、検出された確定手書き情報は、表示制御部４３に供給され、ここで、表示制御部４３の制御の基で、希望する手書き情報が、確定手書き情報表示部５に表示される（Ｓ４１０）。
【００４６】
手書き情報検出部４６で検出された確定手書き情報は、表示制御部４３に供給されるだけでなく、確定手書き情報記憶制御部４７にも供給される。手書き情報検出部４６で検出された確定手書き情報が、確定手書き情報記憶制御部４７に供給されると、確定手書き情報記憶制御部４７の制御の基で、手書き情報検出部４６で検出された確定手書き情報が、確定手書き情報記憶部４８、及び、手書き情報一時記憶部４５にそれぞれ記憶される（Ｓ４１１）。そして、手書き情報一時表示部４に表示された手書き情報は、すべて消去され（Ｓ４１２）、次の手書き情報入力待ちとなる。
【００４７】
すなわち、上の例において、仮に、手書き情報一時表示部４に表示された「あきらしい」という手書き情報をタッチペンなどでタッチし、確定操作したとすると、この段階で、「あきらしい」という手書き情報が、確定手書き情報表示部５に表示され、手書き情報一時表示部４に表示された「あき」「あきらしい」「あきらめ」などの手書き情報がすべて消去される。
【００４８】
手書き情報が、手書き情報一時表示部４に表示されている段階で、希望する手書き情報を選択、確定操作しない場合には（Ｓ４０８のＮ）、その状態が、予め定めた一定時間Ｔ２経過したかどうかを判断する（Ｓ４１３）。予め定めた一定時間Ｔ２が経過した場合（Ｓ４１３のＹ）には、手書き情報一時表示部４に表示された手書き情報をすべて消去し（Ｓ４１２）、次の手書き情報の入力を待つ手書き情報入力待ちの状態になる。
【００４９】
予め定めた一定時間Ｔ２が経過するまでに、手書き情報入力部３の最初の手書き情報入力枠３ａにタッチした(Ｓ４１４のＹ)場合には、手書き情報一時表示部４に表示された手書き情報もすべて消去されて（Ｓ４１２）、次の手書き情報の入力を待つ手書き情報入力待ちの状態になる。
【００５０】
なお、本実施の形態において、確定手書き情報記憶部４８は、確定手書き情報検出部４６で検出された確定手書き情報を互いに繋ぎ合わせて確定手書き文章などの情報として記憶するものであり、手書き情報一時記憶部４５は、確定手書き情報検出部４６で検出された確定手書き情報をそのままそれぞれ１単位として手書き情報検出部４２で検出された手書き情報と比較検索するために記憶するものである。したがって、確定手書き情報記憶部４８の記憶容量は、手書き情報一時記憶部４５の記憶容量より大きく設定されている。そして、いずれの場合も、記憶容量を越えて更に記憶したい場合には、任意に不要な確定情報を削除可能なように構成され、更に、任意に削除しないで放置した場合には、予め定めた条件下（例えば、古い確定手書き情報の順、使用頻度の小さい確定手書き情報の順、古くて使用頻度の小さい確定手書き情報の順といった予め定めた条件下）で、順に自動的に削除されるように構成されている。
【００５１】
このように、本実施の形態によれば、ユーザが描いた手書き情報がそのまま手書き情報記憶部２２に記憶され、その中から手書き情報入力部３で入力された手書き情報に類似、関連する手書き情報を読み出すようにしている。したがって、ユーザが同じであれば、そのユーザの手書き情報は、同じ癖を持って描かれるのが普通であるので、類似、関連する手書き情報を比較的容易にかつ正確に読み出し、選択することができる。
【００５２】
そして、本実施の形態では、手書き情報入力部３より予め定めた一定時間以上離間したとき、それまでの手書き情報を１単位の手書き情報として、その手書き情報を基に、類似、関連する手書き情報を検索するようにしており、手書き情報入力部から入力される手書き情報は、手書き文字や手書き絵などの１画、２画、その他、最少単位でもよく、その場合でも、その単位を基に、その単位に類似、関連する手書き情報を出力することができると言う作用を有する。
【００５３】
例えば、「一」と書いただけで、「〜」「−」とか、「〜に」「−３」とか、「二」「三」とか、「二時」「三時」、「二時に何々」「三時に何々」とかと言ったように、「一」に類似する手書き文字「〜」「−」や、「一」及び「一」に類似する手書き文字「〜」「−」に関連する手書き文字「〜に」「−３」「二」「三」「二時」「三時」「二時に何々」「三時に何々」がそれぞれ予め手書き情報記憶部２２に記憶されていれば、これらがすべて表示可能な分だけ手書き文字一時表示部４に表示される。
【００５４】
したがって、本実施の形態によれば、単に手書き文字を１画、２画書くだけで、それに類似、関連する手書き文字を容易に引出すことができ、手書き文字をその中から任意に選択して容易に入力することができると言う効果を有する。
【００５５】
これまでの動作は、手書き情報入力モードの動作であるが、次に、活字入力モードの動作について詳細に説明する。図５は、本実施の形態において、活字入力モードの動作を示すフローチャートである。
【００５６】
本実施の形態において、筐体の一部に設けた各種機能キー６を操作して、活字入力モードにすると、図６に示すように、表示部２に、活字を表示した活字入力部分６１（図５において第１部分）と、この活字入力部６１をタッチすることにより入力された活字が表示される確定活字表示部６２（図５において第２部分）とがそれぞれ表示される（Ｓ５０１）。したがって、この状態で、活字入力部分６１に表示された活字の中から希望する活字をタッチペンなどを用いてタッチし、選択すると（Ｓ５０２）、その選択された活字が、先ず、未確定の状態で確定活字表示部６２に表示される（Ｓ５０３）。変換キーや確定キーを操作すると（Ｓ５０４）、その操作に応じて、未確定の活字が変換確定、或いは、そのまま確定され（Ｓ５０５）、確定した活字を確定活字表示部６２に表示する（Ｓ５０６）。従って、この状態で、確定活字表示部６２に表示された活字を任意に活用することができる。
【００５７】
図６では、活字として、数字が表示されているが、数字以外に、片仮名、平仮名、漢字、アルファベット、いずれでも表示可能なように構成されている。すなわち、これらは、図示していないが、モード切り換えスイッチによって任意に切換え表示できるように構成されている。従って、数字のみならず、片仮名、平仮名、漢字、アルファベット、いずれでも表示可能である。
【００５８】
以上、説明したように、本実施の形態における情報入力装置を用いた携帯端末装置では、活字も入力可能なように構成されており、活字入力モードを用いて、電話番号、電子メールアドレスなどを入力し、電話、電子メールなどを行うことができる。そして、電子メールやその他の送受信において、手書き情報をそのまま、或いは、添付ファイルに添付して送受信することも可能であり、手書き情報をそのまま相手に送信した場合、それを受け取った相手に活字でない新鮮さを与えることができ、よりユニークかつ斬新な携帯端末装置とすることができるという効果を有する。
【００５９】
なお、本実施の形態では、タッチペンなどを予め定めた一定時間Ｔ１離間した場合に、それまでに書いた手書き情報を１単位として比較検索するように構成しているが、手書き情報の比較検索は、それよりも早く予め定めた一定時間毎に周期的に連続して実施し、その結果を随時手書き情報一時表示部４に表示するようにしても良い。このようにすれば、手書き情報一時表示部４に表示された表示を見ながら、希望する手書き情報が表示された段階で、希望する手書き情報を選択し、入力することも可能になる。すなわち、このようにした場合には、手書き情報を一画、一画書く毎に、それぞれそれに類似、関連する手書き情報を手書き情報一時表示部４に表示することができ、希望する手書き情報が表示された段階で任意に希望する手書き情報を選択し、入力することができる。
【００６０】
また、本実施の形態では、手書き情報記憶部２２に手書き情報一時記憶部４５を設け、手書き情報入力部３で入力された手書き情報を手書き情報一時記憶部４５に記憶された手書き情報と比較し、類似、関連する手書き情報を比較検索部４４によって引出すように構成しているが、手書き情報一時記憶部４５を設けずに確定手書き情報記憶部４８に記憶された手書き情報と直接比較して類似、関連する手書き情報を引出したり、手書き情報一時記憶部４５を設けた場合でも、手書き情報一時記憶部４５に記憶されていない手書き情報に関しては、更に確定手書き情報記憶部４８に記憶された手書き情報と比較し、類似、関連する手書き情報を引出したりするように構成しても良いことは言うまでもないことである。
【００６１】
このように構成した場合には、手書き情報一時記憶部４５で既に削除された手書き情報であっても、確定手書き情報記憶部４８に記憶されている限り、その手書き情報を用いて類似、関連する手書き情報を引出し、手書き情報一時表示部４に表示することができるため、より多くの手書き情報を引出し表示する事ができる。
【００６２】
また、本実施の形態では、手書き情報入力部３で入力された手書き情報や、比較検索部４４で比較検索され、引出された類似、関連する手書き情報がそれぞれ手書き情報一時表示部４に表示された段階（Ｓ４０６）で、手書き情報入力部２に表示された手書き情報を消去する（Ｓ４０７）ようにしているが、手書き情報入力部２に表示された手書き情報は、手書き情報一時表示部４に表示された手書き情報から希望する手書き情報を選択、確定した（Ｓ４０８のＹ）後、或いは、選択、確定しない場合（Ｓ４０８のＮ）でも、予め定めた一定時間Ｔ２経過した後、或いは、手書き情報入力枠の最初の枠３ａをタッチした（Ｓ４１４のＹ）後に消去しても良い。要するに、次の手書き入力を待つまでの間に消去すればよく、例えば、手書き情報一時表示部４に表示された手書き情報を消去する段階（Ｓ４１２）で同時に消去するようにしても良い。
【００６３】
また、本実施の形態では、手書き情報入力枠３ａ、３ｂ、３ｃ、３ｄをそれぞれ個別に考慮しないで連続して使用することを前提に、予め定めた一定時間Ｔ１離間した場合（Ｓ４０４のＹ）には、それまでの手書き情報を１単位の手書き情報として認識するようにし、それより長い予め定めた一定時間Ｔ２の間、希望する手書き情報を選択、確定しない場合（Ｓ４０８のＮ、Ｓ４１３のＹ）には、一連の動作が終了するという形をとっているが、図７に示すように、予め定めた一定時間Ｔ２を次の手書き情報枠にタッチするまでの予め定めた一定時間として設定した場合には、手書き情報入力枠３ａ、３ｂ、３ｃ、３ｄを１つ１つ個別に考慮して、各手書き情報入力枠３ａ、３ｂ、３ｃ、３ｄに書かれた手書き情報毎に手書き情報を認識し検索結果を表示することができるようになる。
【００６４】
すなわち、このようにした場合には、予め定めた一定時間Ｔ２が経過した段階（Ｓ４１３のＹ）、或いは、予め定めた一定時間Ｔ２が経過しない場合（Ｓ４１３のＮ）でも、手書き情報入力枠の次の枠にタッチした場合（Ｓ７０１のＹ）に、タッチした手書き情報入力枠３ａ、３ｂ、３ｃ、３ｄに書いた手書き情報を手書き情報一時表示部４に表示し（Ｓ７０２）、その後、手書き情報入力枠３ａ、３ｂ、３ｃ、３ｄに表示された手書き情報を消去するようにする（Ｓ７０３）。このようにすれば、手書き情報入力枠３ａ、３ｂ、３ｃ、３ｄに表示された手書き情報は消去されるが、手書き情報一時表示部４に表示された手書き情報は消去されず、順に次の手書き情報入力枠３ａ、３ｂ、３ｃ、３ｄに書いた手書き情報を手書き情報一時表示部４に表示することができる。そして、最初の枠３ａにタッチすると否とに関わらず、途中の枠からでも自由に手書き情報を書けば、それに従い正確に容易に類似、関連する手書き情報を検索し、出力できるようになる。
【産業上の利用可能性】
【００６５】
以上説明したように、本発明によれば、手書き情報をそのまま登録し、手書き情報を入力する毎にその手書き情報及びそれに類似、関連する手書き情報を手書き情報表示部に表示し、希望する手書き情報を容易に確定できる情報入力装置、及び、それを用いた携帯端末装置を提供することができ、産業上、有用である。
【図面の簡単な説明】
【００６６】
【図１】本発明の一実施の形態における情報入力装置を用いた携帯端末装置において、情報入力装置が手書き情報入力モードである場合の正面図
【図２】本発明の一実施の形態における情報入力装置を用いた携帯端末装置の概略ブロック図
【図３】本発明の一実施の形態における情報入力装置の構成を示す概略ブロック図
【図４】本発明の一実施の形態における情報入力装置において、手書き情報入力モードの動作を示すフローチャート
【図５】本発明の一実施の形態における情報入力装置において、活字入力モードの動作を示すフローチャート
【図６】本発明の一実施の形態における情報入力装置を用いた携帯端末装置において、情報入力装置が活字入力モードである場合の正面図
【図７】本発明の他の実施の形態における情報入力装置において、手書き情報入力モードの動作を示すフローチャート
【符号の説明】
【００６７】
１  筐体
２  表示部
３  手書き情報入力部
４  手書き情報一時表示部
５  確定手書き情報表示部
６  各種機能キー
７  マイク用透孔
８  レシーバ用透孔
９  着信表示部
２１  無線送受信部
２２  手書き情報記憶部
２３  電子メール記憶部
２４  音声入出力部
２５  マイク
２６  レシーバ
２７  呼出音出力部
２８  スピーカ
２９  発光ダイオード
３０  振動子
４１  手書き情報確定操作部
４２  手書き情報検出部
４３  表示制御部
４４  比較検索部
４５  手書き情報一時記憶部
４６  確定手書き情報検出部
４７  確定手書き情報記憶制御部
４８  確定手書き情報記憶部
【図１】
2005209136.tif 000003
【図２】
2005209136.tif 000004
【図３】
2005209136.tif 000005
【図４】
2005209136.tif 000006
【図５】
2005209136.tif 000007
【図６】
2005209136.tif 000008
【図７】
2005209136.tif 000009